(57)【要約】      （修正有）【課題】ターンテーブルに衝撃が加わった際に生じるターンテーブルの位置ずれを最小限に抑制することができる光ディスク装置を提供する。【解決手段】光ディスクを載せるためのターンテーブル１８と、ターンテーブル１８に対向して配置され、且つ、ターンテーブル１８に向けて延びる出力軸１６を有するスピンドルモータ１４と、光ディスクにレーザ光を照射する光ピックアップと、を備え、ターンテーブル１８は、光ディスクを載せるためのテーブル部５０と、テーブル部５０からスピンドルモータ１４に向けて延び、出力軸１６に取り付けられるボス部５２と、ボス部５２に設けられ、且つ、ボス部５２の先端部５２ａからスピンドルモータ１４に向けて所定量Ｄ１突出する複数の突起５８と、を有し、複数の突起５８は、ボス部５２の中心を通る径方向の直線に対して対称に配置されている。【選択図】図５
2014203494.tif 000002
【特許請求の範囲】
【請求項１】
光ディスクを載せるためのターンテーブルと、
前記ターンテーブルに対向して配置され、且つ、前記ターンテーブルに向けて延びる出力軸を有し、前記出力軸の回転によって前記ターンテーブルを回転させる駆動源と、
前記光ディスクにレーザ光を照射する光ピックアップと、を備え、
前記ターンテーブルは、
前記光ディスクを載せるためのテーブル部と、
前記テーブル部から前記駆動源に向けて延び、前記出力軸に取り付けられるボス部と、
前記ボス部に設けられ、且つ、前記ボス部の先端部から前記駆動源に向けて所定量突出する複数の頂部を有する突出部と、を有し、
前記複数の頂部は、前記ボス部の中心を通る径方向の直線に対して対称に配置されている
光ディスク装置。
【請求項２】
前記複数の頂部の各々は、前記駆動源から離れている
請求項１に記載の光ディスク装置。
【請求項３】
前記突出部は、前記ボス部の先端部に設けられた複数の突起で構成され、
前記複数の頂部の各々は、前記複数の突起の各々である
請求項１又は２に記載の光ディスク装置。
【請求項４】
前記駆動源には、前記出力軸を回転自在に支持するための軸受け部が設けられており、
前記複数の突起の各々は、前記軸受け部に対向して配置されている
請求項３に記載の光ディスク装置。
【請求項５】
前記突出部は、前記ボス部の外周部に設けられ、且つ、前記ボス部の軸方向に延びる複数のリブ部で構成され、
前記複数の頂部の各々は、前記複数のリブ部の各々の先端部である
請求項１又は２に記載の光ディスク装置。
【請求項６】
前記駆動源には、前記出力軸を回転自在に支持するための軸受け部が設けられており、
前記複数のリブ部の各々は、前記軸受け部よりも径方向外側に対向して配置されている
請求項５に記載の光ディスク装置。
【発明の詳細な説明】
【技術分野】
【０００１】
本発明は、光ディスクに記録された情報の再生又は光ディスクへの情報の記録を行うための光ディスク装置に関する。
【背景技術】
【０００２】
光ディスクに記録された情報の再生又は光ディスクへの情報の記録を行うための光ディスク装置が知られている（例えば、特許文献１参照）。ここで、図１０及び図１１を参照しながら、従来の光ディスク装置における、光ディスクを回転させるための機構について説明する。図１０は、従来の光ディスク装置のターンテーブル及びスピンドルモータを示す斜視図である。図１１は、従来のターンテーブルの裏面側を示す斜視図である。
【０００３】
図１０に示すように、光ディスク装置には、光ディスク（図示せず）を載せるためのターンテーブル１００と、ターンテーブル１００を回転させるスピンドルモータ１０２とが設けられている。図１１に示すように、ターンテーブル１００は、光ディスクを載せるためのテーブル部１０４と、テーブル部１０４の裏面からスピンドルモータ１０２に向けて延びるボス部１０６と、を有している。ボス部１０６は、スピンドルモータ１０２の出力軸１０８に取り付けられている。出力軸１０８が回転することにより、ターンテーブル１００と光ディスクとが一体となって回転する。
【先行技術文献】
【特許文献】
【０００４】
【特許文献１】特開平９−１２８９３９号公報
【発明の概要】
【発明が解決しようとする課題】
【０００５】
上述した従来の光ディスク装置において生じる課題について、図１２を参照しながら説明する。図１２は、従来のターンテーブルの位置ずれが生じた状態を示す斜視図である。例えば光ディスク装置の筐体が床の上に落下した場合等には、ターンテーブル１００に衝撃が加わることにより、図１２に示すようにターンテーブル１００の位置がスピンドルモータ１０２に近付く方向にずれるおそれがある。ターンテーブル１００の位置ずれが比較的大きい場合には、光ディスクと光ピックアップ（図示せず）との間の距離が適正な距離の範囲から外れてしまい、光ディスクを再生することができない。
【０００６】
さらに、ターンテーブル１００の位置ずれが比較的大きい場合には、ボス部１０６の先端部１０６ａがスピンドルモータ１０２の軸受け部１１０に接触するおそれがある。この場合、ボス部１０６の先端部１０６ａの全域が軸受け部１１０に接触するので、ターンテーブル１００が回転した際に、ボス部１０６の先端部１０６ａと軸受け部１１０との間に生じる摩擦抵抗が比較的大きくなる。その結果、スピンドルモータ１０２の回転負荷が増大してしまい、光ディスクを再生することができないおそれがある。
【０００７】
本発明は、上述した課題を解決しようとするものであり、その目的は、ターンテーブルに衝撃が加わった際に生じるターンテーブルの位置ずれを最小限に抑制することができる光ディスク装置を提供することである。
【課題を解決するための手段】
【０００８】
上記目的を達成するために、本発明の一態様に係る光ディスク装置は、光ディスクを載せるためのターンテーブルと、前記ターンテーブルに対向して配置され、且つ、前記ターンテーブルに向けて延びる出力軸を有し、前記出力軸の回転によって前記ターンテーブルを回転させる駆動源と、前記光ディスクにレーザ光を照射する光ピックアップと、を備え、前記ターンテーブルは、前記光ディスクを載せるためのテーブル部と、前記テーブル部から前記駆動源に向けて延び、前記出力軸に取り付けられるボス部と、前記ボス部に設けられ、且つ、前記ボス部の先端部から前記駆動源に向けて所定量突出する複数の頂部を有する突出部と、を有し、前記複数の頂部は、前記ボス部の中心を通る径方向の直線に対して対称に配置されている。
【０００９】
本態様によれば、ボス部には突出部が設けられているので、突出部の複数の頂部の各々と駆動源との間の間隔を小さくすることができる。これにより、ターンテーブルに衝撃が加わった場合であっても、突出部の複数の頂部の各々が駆動源に接触することにより、ターンテーブルの駆動源に近付く方向への位置ずれを最小限に抑制することができる。その結果、ターンテーブルの位置ずれが生じた場合であっても、光ディスクと光ピックアップとの間の距離を適正な距離の範囲内に収めることができ、光ディスクを正常に再生することができる。さらに、ターンテーブルの位置ずれが生じることにより、突出部の複数の頂部の各々が駆動源に接触した場合であっても、突出部の複数の頂部の各々と駆動源との総接触面積は比較的小さくなる。これにより、ターンテーブルが回転した際に、突出部の複数の頂部の各々と駆動源との間に生じる摩擦抵抗が比較的小さくなる。その結果、駆動源の回転負荷を低減することができ、光ディスクを正常に再生することができる。さらに、複数の頂部は、ボス部の中心を通る径方向の直線に対して対称に配置されているので、複数の頂部の各々が駆動源に接触した場合に、ターンテーブルのバランスを良好に保つことができる。
【００１０】
例えば、本発明の一態様に係る光ディスク装置において、前記複数の頂部の各々は、前記駆動源から離れているように構成してもよい。
【００１１】
本態様によれば、複数の頂部の各々は駆動源から離れているので、ターンテーブルが回転した際に、突出部の複数の頂部の各々と駆動源との間に摩擦抵抗が生じないようにすることができる。
【００１２】
例えば、本発明の一態様に係る光ディスク装置において、前記突出部は、前記ボス部の先端部に設けられた複数の突起で構成され、前記複数の頂部の各々は、前記複数の突起の各々であるように構成してもよい。
【００１３】
本態様によれば、突出部はボス部の先端部に設けられた複数の突起で構成されているので、複数の突起を比較的容易に成形することができる。
【００１４】
例えば、本発明の一態様に係る光ディスク装置において、前記駆動源には、前記出力軸を回転自在に支持するための軸受け部が設けられており、前記複数の突起の各々は、前記軸受け部に対向して配置されているように構成してもよい。
【００１５】
本態様によれば、複数の突起の各々を軸受け部に対向して配置することができる。
【００１６】
例えば、本発明の一態様に係る光ディスク装置において、前記突出部は、前記ボス部の外周部に設けられ、且つ、前記ボス部の軸方向に延びる複数のリブ部で構成され、前記複数の頂部の各々は、前記複数のリブ部の各々の先端部であるように構成してもよい。
【００１７】
本態様によれば、突出部はボス部の外周部に設けられた複数のリブ部で構成されているので、ターンテーブルに衝撃が加わることによって複数のリブ部の各々の先端部が駆動源に接触した際に、ターンテーブルのバランスを良好に保つことができる。
【００１８】
例えば、本発明の一態様に係る光ディスク装置において、前記駆動源には、前記出力軸を回転自在に支持するための軸受け部が設けられており、前記複数のリブ部の各々は、前記軸受け部よりも径方向外側に対向して配置されているように構成してもよい。
【００１９】
本態様によれば、複数のリブ部の各々は軸受け部よりも径方向外側に対向して配置されているので、ターンテーブルに衝撃が加わることによって複数のリブ部の各々の先端部が駆動源に接触した際に、ターンテーブルのバランスをより一層良好に保つことができる。
【発明の効果】
【００２０】
本発明の一態様に係る光ディスク装置によれば、ターンテーブルに衝撃が加わった際に生じるターンテーブルの位置ずれを最小限に抑制することができる。
【図面の簡単な説明】
【００２１】
【図１】実施の形態１に係る光ディスク装置を示す斜視図である。
【図２】実施の形態１に係る光ディスク装置のディスクトレイ及びトラバースユニットを模式的に示す側面図である。
【図３】図２のトラバースユニットを示す平面図である。
【図４】実施の形態１に係るターンテーブル及びスピンドルモータを示す斜視図である。
【図５】図４中のＡ−Ａ線により切断したターンテーブル及びスピンドルモータの断面図である。
【図６Ａ】実施の形態１に係るターンテーブルの裏面側を示す斜視図である。
【図６Ｂ】実施の形態１に係るターンテーブルの裏面側を示す平面図である。
【図７】実施の形態２に係るターンテーブル及びスピンドルモータを示す斜視図である。
【図８】図７中のＢ−Ｂ線により切断したターンテーブル及びスピンドルモータの断面図である。
【図９Ａ】実施の形態２に係るターンテーブルの裏面側を示す斜視図である。
【図９Ｂ】実施の形態２に係るターンテーブルの裏面側を示す平面図である。
【図１０】従来の光ディスク装置のターンテーブル及びスピンドルモータを示す斜視図である。
【図１１】従来のターンテーブルの裏面側を示す斜視図である。
【図１２】従来のターンテーブルの位置ずれが生じた状態を示す斜視図である。
【発明を実施するための形態】
【００２２】
以下、実施の形態に係る光ディスク装置について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２３】
（実施の形態１）
［光ディスク装置の全体構成］
まず、図１〜図３を参照しながら、実施の形態１に係る光ディスク装置の全体構成について説明する。図１は、実施の形態１に係る光ディスク装置を示す斜視図である。図２は、実施の形態１に係る光ディスク装置のディスクトレイ及びトラバースユニットを模式的に示す側面図である。図３は、図２のトラバースユニットを示す平面図である。
【００２４】
図１に示すように、光ディスク装置２は、例えば、光ディスク４に記録された情報の再生及び光ディスク４への情報の記録を行うためのブルーレイディスク（ＢＤ：Ｂｌｕ−ｒａｙ（登録商標）Ｄｉｓｃ）レコーダである。なお、光ディスク４は、例えば、ブルーレイディスク、デジタル多用途ディスク（ＤＶＤ：Ｄｉｇｉｔａｌ  Ｖｅｒｓａｔｉｌｅ  Ｄｉｓｃ）又はコンパクトディスク（ＣＤ：Ｃｏｍｐａｃｔ  Ｄｉｓｃ）である。
【００２５】
図２に示すように、光ディスク装置２は、ディスクトレイ６と、ディスクトレイ６の下側に配置されたトラバースユニット８と、を備えている。ディスクトレイ６及びトラバースユニット８は、光ディスク装置２の筐体１０の内部に搭載されている。
【００２６】
ディスクトレイ６には、光ディスク４が回転可能に載置される。ディスクトレイ６の底部には、切り欠き部（図示せず）が設けられている。ディスクトレイ６は、筐体１０の内部に設けられた駆動機構（図示せず）によって、Ｙ軸方向に往復移動可能である。具体的には、ディスクトレイ６は、筐体１０の外部に引き出される引出し位置と、筐体１０の内部に収納される収納位置との間を往復移動可能である。ディスクトレイ６が引出し位置に移動することにより、光ディスク４をディスクトレイ６に載置する（又は光ディスク４をディスクトレイ６から取り出す）ことができる。
【００２７】
トラバースユニット８は、筐体１０の内部に設けられた駆動機構（図示せず）によって、ディスクトレイ６の動作と連動してＺ軸方向に往復移動可能である。具体的には、ディスクトレイ６が引出し位置に移動した際には、トラバースユニット８は、ディスクトレイ６から離隔する方向に移動する。一方、ディスクトレイ６が収納位置に移動した際には、トラバースユニット８は、ディスクトレイ６に近接する方向に移動する。
【００２８】
トラバースユニット８は、シャーシ１２を有している。このシャーシ１２には、スピンドルモータ１４（駆動源を構成する）が取り付けられている。スピンドルモータ１４の出力軸１６（後述する図４及び図５参照）には、光ディスク４を載せるためのターンテーブル１８が取り付けられている。すなわち、スピンドルモータ１４は、ターンテーブル１８に対向して配置されている。また、スピンドルモータ１４の出力軸１６は、ターンテーブル１８に向けて延びている。光ディスク４が載せられたディスクトレイ６が収納位置に移動した際に、トラバースユニット８がディスクトレイ６に近接する方向に移動することにより、ターンテーブル１８は、上述した切り欠き部を通してディスクトレイ６の底部の上側に突出する。これにより、光ディスク４は、ターンテーブル１８とディスクトレイ６の上側に配置されたクランパ（図示せず）との間に挟持される。この状態で、スピンドルモータ１４の出力軸１６によってターンテーブル１８が回転することにより、光ディスク４がターンテーブル１８と一体に回転される。なお、ターンテーブル１８の具体的な構成については後述する。
【００２９】
図２及び図３に示すように、シャーシ１２には、さらに、ステッピングモータ２０が取り付けられている。ステッピングモータ２０の出力軸（図示せず）には、リードスクリュー２２が取り付けられている。リードスクリュー２２は、その長手方向が光ディスク４の径方向（すなわち、Ｙ軸方向）に対して略平行となるように配置されている。リードスクリュー２２の外周面には、その長手方向に沿って螺旋状に延びる凹部２４が設けられている。リードスクリュー２２は、ステッピングモータ２０によって、図３中の矢印Ｐ及び矢印Ｑで示す方向に正逆回転可能である。
【００３０】
図３に示すように、シャーシ１２には、さらに、第１のガイド軸２６及び第２のガイド軸２８が取り付けられている。第１のガイド軸２６及び第２のガイド軸２８は、互いに略平行に且つ間隔を置いて配置されている。第１のガイド軸２６及び第２のガイド軸２８の各々は、リードスクリュー２２の長手方向に対して略平行に延びている。これら第１のガイド軸２６及び第２のガイド軸２８には、光ディスク４に記録された情報の読み出し及び光ディスク４への情報の書き込みを行うための光ピックアップ３０がＹ軸方向に往復移動可能に支持されている。
【００３１】
光ピックアップ３０の第１のガイド軸２６側における端部には、一対の第１の軸受け部３２ａ，３２ｂが設けられている。光ピックアップ３０の第２のガイド軸２８側における端部には、第２の軸受け部３４が設けられている。一対の第１の軸受け部３２ａ，３２ｂの各々は、第１のガイド軸２６に往復移動可能に支持されている。第２の軸受け部３４は、第２のガイド軸２８に往復移動可能に支持されている。これにより、光ピックアップ３０は、第１のガイド軸２６及び第２のガイド軸２８に沿って、図３中の矢印Ｔ及び矢印Ｕで示す方向に往復移動可能である。
【００３２】
光ピックアップ３０には、ＢＤ用の光学系と、ＤＶＤ及びＣＤ用の光学系とが設けられている。光ディスク４がＢＤである場合には、ＢＤ用の光学系が用いられ、光ディスク４がＤＶＤ又はＣＤである場合には、ＤＶＤ及びＣＤ用の光学系が用いられる。
【００３３】
ＢＤ用の光学系は、第１の光源（図示せず）、第１の対物レンズ３６及び第１の受光部（図示せず）を含んでいる。第１の光源は、ＢＤ用のレーザ光（例えば、波長４０５ｎｍ帯のレーザ光）を出力する。第１の対物レンズ３６は、第１の光源からのレーザ光を、ディスクトレイ６の切り欠き部を通して光ディスク４の情報記録面に集光する。第１の受光部は、光ディスク４の情報記録面で反射されたレーザ光を、ディスクトレイ６の切り欠き部を通して受光する。
【００３４】
ＤＶＤ及びＣＤ用の光学系は、第２の光源（図示せず）、第２の対物レンズ３８及び第２の受光部（図示せず）を含んでいる。第２の光源は、ＤＶＤ用のレーザ光（例えば、波長６５０ｎｍ帯のレーザ光）とＣＤ用のレーザ光（例えば、波長７８０ｎｍ帯のレーザ光）とを切り替えて出力する。第２の対物レンズ３８は、第２の光源からのレーザ光を、ディスクトレイ６の切り欠き部を通して光ディスク４の情報記録面に集光する。第２の受光部は、光ディスク４の情報記録面で反射されたレーザ光を、ディスクトレイ６の切り欠き部を通して受光する。
【００３５】
光ピックアップ３０には、リードスクリュー２２の回転運動を光ピックアップ３０の直線運動に変換するためのラック部４０が取り付けられている。ラック部４０は、取付部４２、移動部４４及び一対の接続部４６を有している。
【００３６】
取付部４２は、ネジ４８により光ピックアップ３０に取り付けられている。移動部４４は、リードスクリュー２２に往復移動可能に装着されている。移動部４４は、一対の接続部４６を介して取付部４２に接続されている。移動部４４の内面には、リードスクリュー２２の凹部２４に嵌め合わされた一対の凸部（図示せず）が設けられている。リードスクリュー２２が回転することにより、一対の凸部の各々は、リードスクリュー２２の凹部２４に沿って移動する。これにより、移動部４４は、リードスクリュー２２に沿って移動する。
【００３７】
次に、上述したトラバースユニット８の動作について説明する。リードスクリュー２２が図３中の矢印Ｐで示す方向に回転する際には、移動部４４は、図３中の矢印Ｒで示す方向にリードスクリュー２２に沿って移動する。この移動部４４の移動に伴って、光ピックアップ３０は、図３中の矢印Ｔで示す方向に、光ディスク４の内周部から外周部に向けて直線的に移動する。
【００３８】
一方、リードスクリュー２２が図３中の矢印Ｑで示す方向に回転する際には、移動部４４は、図３中の矢印Ｓで示す方向にリードスクリュー２２に沿って移動する。この移動部４４の移動に伴って、光ピックアップ３０は、図３中の矢印Ｕで示す方向に、光ディスク４の外周部から内周部に向けて直線的に移動する。
【００３９】
［ターンテーブルの構成］
次に、図４〜図６Ｂを参照しながら、本実施の形態の光ディスク装置２の特徴的な構成である、ターンテーブル１８の構成について説明する。図４は、実施の形態１に係るターンテーブル及びスピンドルモータを示す斜視図である。図５は、図４中のＡ−Ａ線により切断したターンテーブル及びスピンドルモータの断面図である。図６Ａは、実施の形態１に係るターンテーブルの裏面側を示す斜視図である。図６Ｂは、実施の形態１に係るターンテーブルの裏面側を示す平面図である。
【００４０】
図４〜図６Ｂに示すように、ターンテーブル１８は、光ディスク４を載せるためのテーブル部５０と、テーブル部５０の裏面からスピンドルモータ１４に向けて延びる円筒状のボス部５２と、を有している。ボス部５２は、スピンドルモータ１４の出力軸１６に取り付けられている。
【００４１】
なお、スピンドルモータ１４の上端部には、出力軸１６を回転自在に支持するための軸受け部５４が設けられている。さらに、スピンドルモータ１４の上面には、軸受け部５４を包囲するようにして配置され、且つ、ターンテーブル１８に向けて突出する円筒状の凸状部５６が設けられている。
【００４２】
図５及び図６Ａに示すように、ターンテーブル１８は、さらに、ボス部５２の先端部５２ａに設けられた複数の突起５８（突出部及び当該突出部の複数の頂部をそれぞれ構成する）を有している。複数の突起５８の各々は、ボス部５２の先端部５２ａからスピンドルモータ１４に向けて所定量Ｄ１（例えば、０．４〜０．５ｍｍ程度）だけ突出している。図６Ｂに示すように、複数の突起５８は、ボス部５２の中心Ｃ１を通る径方向の直線Ｌ１に対して対称に配置されている。なお、本願において「対称」とは、厳密な対称位置だけでなく、当該厳密な対称位置から僅かにずれた略対称位置をも含む概念である。複数の突起５８の各々は、スピンドルモータ１４の軸受け部５４に対向して（すなわち、凸状部５６の内周面よりも内側に）配置されている。さらに、複数の突起５８の各々は、スピンドルモータ１４の軸受け部５４から所定間隔Ｄ２（例えば、０．１〜０．５ｍｍ程度）だけ離れている。
【００４３】
なお、テーブル部５０、ボス部５２及び複数の突起５８は、例えば樹脂の一体成形により形成されている。
【００４４】
［効果］
次に、本実施の形態のターンテーブル１８により得られる効果について説明する。上述したように、ボス部５２の先端部５２ａには複数の突起５８が設けられているので、複数の突起５８の各々とスピンドルモータ１４の軸受け部５４との間の所定間隔Ｄ２を小さくすることができる。これにより、ターンテーブル１８に衝撃が加わった場合であっても、複数の突起５８の各々がスピンドルモータ１４の軸受け部５４に接触することにより、ターンテーブル１８のスピンドルモータ１４に近付く方向への位置ずれを最小限に抑制することができる。その結果、ターンテーブル１８の位置ずれが生じた場合であっても、光ディスク４と光ピックアップ３０との間の距離を適正な距離の範囲内に収めることができ、光ディスク４を正常に再生することができる。
【００４５】
さらに、ターンテーブル１８の位置ずれが生じることにより、複数の突起５８の各々がスピンドルモータ１４の軸受け部５４に接触した場合であっても、複数の突起５８の各々と軸受け部５４との総接触面積は比較的小さくなる。これにより、ターンテーブル１８が回転した際に、複数の突起５８の各々と軸受け部５４との間に生じる摩擦抵抗が比較的小さくなる。その結果、スピンドルモータ１４の回転負荷を低減することができ、光ディスク４を正常に再生することができる。なお、複数の突起５８の各々と軸受け部５４との間に生じる摩擦抵抗によって、複数の突起５８の各々が摩耗した場合には、複数の突起５８の各々は、スピンドルモータ１４の軸受け部５４から離れるようになる。
【００４６】
さらに、上述したように、複数の突起５８は、ボス部５２の中心Ｃ１を通る径方向の直線Ｌ１に対して対称に配置されている。これにより、複数の突起５８の各々がスピンドルモータ１４の軸受け部５４に接触した場合に、ターンテーブル１８のバランスを良好に保つことができる。
【００４７】
（実施の形態２）
次に、図７〜図９Ｂを参照しながら、実施の形態２に係る光ディスク装置のターンテーブルの構成について説明する。図７は、実施の形態２に係るターンテーブル及びスピンドルモータを示す斜視図である。図８は、図７中のＢ−Ｂ線により切断したターンテーブル及びスピンドルモータの断面図である。図９Ａは、実施の形態２に係るターンテーブルの裏面側を示す斜視図である。図９Ｂは、実施の形態２に係るターンテーブルの裏面側を示す平面図である。
【００４８】
図７〜図９Ｂに示すように、本実施の形態のターンテーブル１８Ａは、ボス部５２の外周部に設けられた複数のリブ部６０（突出部を構成する）を有している。複数のリブ部６０の各々は、ボス部５２の軸方向に延びている。複数のリブ部６０の各々の先端部６０ａ（突出部の複数の頂部の各々を構成する）は、ボス部５２の先端部５２ａからスピンドルモータ１４に向けて所定量Ｄ３（例えば、０．４〜０．５ｍｍ程度）だけ突出している。図９Ｂに示すように、複数のリブ部６０は、ボス部５２の中心Ｃ２を通る径方向の直線Ｌ２に対して対称に配置されている。複数のリブ部６０の各々は、スピンドルモータ１４の軸受け部５４よりも径方向外側に対向して（すなわち、凸状部５６の内周面よりも径方向外側に）配置されている。なお、複数のリブ部６０の各々は、スピンドルモータ１４の凸状部５６から所定間隔Ｄ４（例えば、０．１〜０．５ｍｍ程度）だけ離れている。
【００４９】
なお、テーブル部５０、ボス部５２及び複数のリブ部６０は、例えば樹脂の一体成形により形成されている。
【００５０】
次に、本実施の形態のターンテーブル１８Ａにより得られる効果について説明する。上述したように、ボス部５２の外周部には複数のリブ部６０が設けられているので、複数のリブ部６０の各々の先端部６０ａとスピンドルモータ１４の凸状部５６との間の所定間隔Ｄ３を小さくすることができる。これにより、ターンテーブル１８Ａに衝撃が加わった場合であっても、上記実施の形態１と同様に、複数のリブ部６０の各々の先端部６０ａがスピンドルモータ１４の凸状部５６に接触することにより、ターンテーブル１８Ａのスピンドルモータ１４に近付く方向への位置ずれを最小限に抑制することができる。
【００５１】
さらに、ターンテーブル１８Ａの位置ずれが生じることにより、複数のリブ部６０の各々の先端部６０ａがスピンドルモータ１４の凸状部５６に接触した場合であっても、複数のリブ部６０の各々の先端部６０ａとスピンドルモータ１４の凸状部５６との総接触面積は比較的小さくなる。これにより、ターンテーブル１８Ａが回転した際に、上記実施の形態１と同様に、複数のリブ部６０の各々の先端部６０ａとスピンドルモータ１４の凸状部５６との間に生じる摩擦抵抗が比較的小さくなる。その結果、スピンドルモータ１４の回転負荷を低減することができ、光ディスク４（図２参照）を正常に再生することができる。なお、複数のリブ部６０の各々の先端部６０ａとスピンドルモータ１４の凸状部５６との間に生じる摩擦抵抗によって、複数のリブ部６０の各々の先端部６０ａが摩耗した場合には、複数のリブ部６０の各々の先端部６０ａは、スピンドルモータ１４の凸状部５６から離れるようになる。
【００５２】
さらに、上述したように、複数のリブ部６０は、ボス部５２の中心Ｃ２を通る径方向の直線Ｌ２に対して対称に配置されている。これにより、複数のリブ部６０の各々の先端部６０ａがスピンドルモータ１４の凸状部５６に接触した場合に、ターンテーブル１８Ａのバランスを良好に保つことができる。
【００５３】
以上、本発明の実施の形態に係る光ディスク装置について説明したが、本発明は、これらの実施の形態に限定されるものではない。例えば、上記各実施の形態を組み合わせるようにしてもよい。
【００５４】
上記各実施の形態では、光ディスク装置はブルーレイディスクレコーダであるが、これに限られず、例えば光ディスクに記録された情報の再生を行うためのブルーレイディスクプレーヤでもよい。あるいは、光ディスク装置は、例えばＤＶＤレコーダ、ＤＶＤプレーヤ又はＣＤプレーヤ等でもよい。
【００５５】
上記実施の形態１では、複数の突起の各々は、スピンドルモータの軸受け部から離れているが、複数の突起の各々は、スピンドルモータの軸受け部に接触してもよい。同様に、上記実施の形態２では、複数のリブ部の各々の先端部は、スピンドルモータの凸状部から離れているが、複数のリブ部の各々の先端部は、スピンドルモータの凸状部に接触してもよい。
【００５６】
上記各実施の形態では、ボス部に突起及びリブ部をそれぞれ４個ずつ設けたが、これに限定されず、例えば２個、３個又は５個以上設けることもできる。また、それらの配置は、ボス部の中心を通る径方向の直線に対して対称であれば、どのような配置でもよい。
【００５７】
上記実施の形態１では、突出部としての複数の突起をボス部の先端部に設けたが、例えば、円筒状の突出部をボス部の先端部に設けることもできる。この場合、突出部には、ボス部の先端部からスピンドルモータに向けて所定量だけ突出する複数の頂部が設けられる。
【００５８】
上記各実施の形態では、複数の突起の各々の先端部（又は複数のリブ部の各々の先端部）は平坦状に構成されているが、例えば円弧状等の任意の形状に構成することもできる。
【産業上の利用可能性】
【００５９】
本発明の光ディスク装置は、例えば、ブルーレイディスクレコーダ等として適用することができる。
【符号の説明】
【００６０】
２  光ディスク装置
４  光ディスク
６  ディスクトレイ
８  トラバースユニット
１０  筐体
１２  シャーシ
１４，１０２  スピンドルモータ
１６，１０８  出力軸
１８，１８Ａ，１００  ターンテーブル
２０  ステッピングモータ
２２  リードスクリュー
２４  凹部
２６  第１のガイド軸
２８  第２のガイド軸
３０  光ピックアップ
３２ａ，３２ｂ  第１の軸受け部
３４  第２の軸受け部
３６  第１の対物レンズ
３８  第２の対物レンズ
４０  ラック部
４２  取付部
４４  移動部
４６  接続部
４８  ネジ
５０，１０４  テーブル部
５２，１０６  ボス部
５２ａ，１０６ａ  先端部
５４，１１０  軸受け部
５６  凸状部
５８  突起
６０  リブ部
６０ａ  先端部
Ｃ１，Ｃ２  中心
Ｌ１，Ｌ２  直線
【図１】
2014203494.tif 000003
【図２】
2014203494.tif 000004
【図３】
2014203494.tif 000005
【図４】
2014203494.tif 000006
【図５】
2014203494.tif 000007
【図６Ａ】
2014203494.tif 000008
【図６Ｂ】
2014203494.tif 000009
【図７】
2014203494.tif 000010
【図８】
2014203494.tif 000011
【図９Ａ】
2014203494.tif 000012
【図９Ｂ】
2014203494.tif 000013
【図１０】
2014203494.tif 000014
【図１１】
2014203494.tif 000015
【図１２】
2014203494.tif 000016